(57)【要約】【課題】軽くて嵩張らず、組立て容易でありながら、強度が確保された部材を有する組立式ソファを実現する。【解決手段】ソファ１００は、台座１０と、台座１０上に載置される座部マット２０とを備えている。台座１０は、平板から突出した側壁１１に囲まれた凹部を当該平板の両面に有しており、座部マット２０は、凹部１２に収容されるサブマット２２を有している。【選択図】図１
2020044107.tif 000002
【特許請求の範囲】
【請求項１】
平板から突出した側壁に囲まれた凹部を当該平板の両面に有している台座と、
前記台座上に載置され、前記台座の一方の面の前記凹部に収容される凸部を有している座部マットと、
を備えていることを特徴とする組立式ソファ。
【請求項２】
前記台座は、中空構造体により形成されていることを特徴とする請求項１に記載の組立式ソファ。
【請求項３】
前記台座と、背当て部及び肘当て部の少なくとも一方とを連結し、前記背当て部又は前記肘当て部に当接する第１当接部と、前記側壁の内側の面に当接する第２当接部と、前記第１当接部と前記第２当接部とを階段状に接続する接続部とを有している、連結部材を備えていることを特徴とする請求項１又は２に記載の組立式ソファ。
【請求項４】
座部マットの凸部を収容する凹部を有している台座と、
前記凹部内に収容されて、前記座部マットの前記凹部内での収容位置を調整する位置調整部材と
をさらに備えていることを特徴とする組立式ソファ。
【請求項５】
前記座部マットは、２つのクッション材を１つのカバーに収容して一体とされたものであり、
前記カバーは、一方のクッション材を収容する領域と他方のクッション材を収容する領域とを隔てる隔離部を有していることを特徴とする請求項１〜４のいずれか１項に記載の組立式ソファ。
【請求項６】
前記２つのクッション材は、硬さの異なる２つのクッション材であることを特徴とする請求項５に記載の組立式ソファ。
【請求項７】
前記台座が複数連結されていることを特徴とする請求項１から６のいずれか１項に記載の組立式ソファ。
【発明の詳細な説明】
【技術分野】
【０００１】
本発明は組立式ソファに関する。
【背景技術】
【０００２】
特許文献１〜３には、輸送や搬入が容易な組立式のソファが記載されている。特許文献１〜３に記載されたソファは組立式であるため、背もたれや肘掛の有無、シートの数等をユーザの嗜好に合わせた構成にすることが可能である。また、特許文献４には、金属のパイプをフレームとして用いたソファが記載されている。
【先行技術文献】
【特許文献】
【０００３】
【特許文献１】実開昭５６−１２８０５９号公報
【特許文献２】実開平３−１２９３４９号公報（１９９１年１２月２６日公開）
【特許文献３】特開２０１６−１６８３２０号公報（２０１６年９月２３日公開）
【特許文献４】特開平１０−２７６８６１号公報（１９９８年１０月２０日公開）
【発明の概要】
【発明が解決しようとする課題】
【０００４】
組立式のソファは、強度を確保するために、重くて嵩張る部材が使用されることから、輸送及び保管効率が悪く、組立ても複雑で困難なものとなっている。したがって、軽くて嵩張らず、組立てが容易であるだけでなく、強度が確保された組立式のソファが求められる。本発明の一態様は、軽くて嵩張らず、組立て容易でありながら、強度が確保された部材を有する組立式のソファを提供することを目的とする。
【課題を解決するための手段】
【０００５】
上記の課題を解決するために、本発明の一態様に係る組立式ソファは、平板から突出した側壁に囲まれた凹部を当該平板の両面に有している台座と、前記台座上に載置され、前記台座の一方の面の前記凹部に収容される凸部を有している座部マットとを備えていることを特徴としている。
【発明の効果】
【０００６】
本発明の一態様によれば、台座の平板の両面に、当該平板から突出した側壁に囲まれた凹部を有しているので、軽くて嵩張らず、組立て容易でありながら、強度が確保された台座を有する組立式ソファを実現することができる。
【図面の簡単な説明】
【０００７】
【図１】本発明の一実施形態に係るソファを示す模式図である。
【図２】本発明の一実施形態に係るソファの台座を示す模式図である。
【図３】本発明の一実施形態に係るソファの座部マットを示す模式図である。
【図４】本発明の一実施形態に係るソファの位置調整部材を示す模式図である。
【図５】本発明の一実施形態に係るソファの座部マットケースを示す模式図である。
【図６】本発明の一実施形態に係るソファの連結部材を示す模式図である。
【発明を実施するための形態】
【０００８】
〔実施形態１〕
以下、本発明の一実施形態について、図面を参照して詳細に説明する。図１中（ａ）は、ソファの全体を示す斜視図であり、図１中（ｂ）は図１中（ａ）の一部を説明する分解斜視図である。図１中（ａ）に示すように、ソファ（組立式ソファ）１００は、台座１０及び座部マット２０を備えている。また、ソファ１００は、アームレスト（肘当て部）３０、背当て部４０、背当てクッション５０、ヘッドレスト６０、脚７０、位置調整バー（位置調整部材）８０を備えていてもよい。図１中（ａ）は、ソファ１００を組み立てた状態を示している。ソファ１００は、図１中（ｂ）に示すように、構成部材毎に分解することが可能であり、構成部材毎に搬送及び搬入することができる。したがって、搬入スペースが狭い場合であっても、搬入可能である。なお、本実施形態においては、説明の便宜上、台座１０が２つ連結された２シートのソファ１００を例として説明している。
【０００９】
台座１０は、図２中（ａ）〜（ｃ）に示すように、平板から突出した側壁１１に囲まれた凹部を当該平板の両面に有している。座部マット２０は台座１０上に載置して使用されるものであり、ユーザが着座する部材である。座部マット２０は、図３中（ａ）及び（ｂ）に示すように、台座１０の一方の面の凹部１２に収容される凸部となるサブマット２２とメインマット２１とを有している。サブマット２２はメインマット２１から突出するように設けられている。台座１０及び座部マット２０の詳細については、後述する。
【００１０】
アームレスト３０は、台座１０の側壁１１に取り付けて使用されるものであり、ユーザの手、腕等を支持する部材である。背当て部４０は、台座１０の側壁１１に取り付けて使用されるものであり、その上に背当てクッション５０が載置されて、ユーザの背、頭等を支持する部材である。アームレスト３０及び背当て部４０は、図４中（ａ）に示すように、フレームにカバーを被せたものであってもよく、ユーザの腕や背が当たった際に痛くないように、クッション材によりフレームを覆ったものにカバーを被せてもよい。アームレスト３０及び背当て部４０のフレームの材料は特に限定されないが、例えば、加工が容易なスチールのような金属製のフレームであってもよい。アームレスト３０及び背当て部４０には、台座１０との連結部材を取り付けるための穴が形成されていてもよい。
【００１１】
背当てクッション５０は、背当て部４０上に載せて使用されるものであり、ユーザの背を支持する部材である。背当てクッション５０はクッション材を有しており、座部マット２０と同一のクッション材から形成されていてもよい。背当て部４０上での背当てクッション５０の位置ズレを防ぐために、面ファスナーのような位置ずれ防止部材が背当てクッション５０と背当て部４０とに設けられていてもよい。
【００１２】
ヘッドレスト６０は、背当てクッション５０に連結して使用されるものであり、ユーザの頭を支持する部材である。ヘッドレスト６０は、例えば、ヘッドレスト６０に取り付けられた連結バーを背当てクッション５０の連結穴に差し込むことで組み立てられる。ヘッドレストは、フレームにカバーを被せたものであってもよく、ユーザの頭が当たった際に痛くないように、クッション材によりフレームを覆ったものにカバーを被せてもよい。ヘッドレスト６０のフレームの材料は特に限定されないが、例えば、スチールのような金属製のフレームであってもよい。
【００１３】
脚７０は、台座１０の下面に取り付けて使用され、台座１０を支持するものである。脚７０は、台座１０を支持可能な数が取り付けられ、例えば、台座１０の四隅のそれぞれに脚７０が取り付けられることが好ましい。また、台座１０を複数連結して使用する場合には、台座１０の支持を補強するために、台座１０同士の間にも脚７０が取り付けられることが好ましい。なお、台座１０同士の間に取り付けられる場合、脚７０は台座１０同士を連結する連結部材に取り付けられてもよい。
【００１４】
位置調整バー８０は、台座１０の凹部１２に収容して使用されるものであり、座部マット２０の凹部１２内での位置を調整することによって、ソファ１００における座部マット２０の位置を調整する。位置調整バー８０の詳細については後述する。
【００１５】
台座１０の構造について、図２を参照して説明する。図２中（ａ）は、台座１０の斜視図であり、図２中（ｂ）は、台座１０の断面斜視図であり、図２中（ｃ）は、台座１０の断面図である。台座１０は、平板から突出した側壁に囲まれた凹部を当該平板の両面に有している。図２中（ａ）に示すように、側壁１１は、長方形の台座１０の四辺のそれぞれから突出するように設けられている。側壁１１は、台座１０の平板の平面方向の端部から鉛直方向に突出するように設けられていることが好ましいが、側壁１１の内側に凹部が形成される限り平板の端部よりも内側から突出するように設けられていてもよい。
【００１６】
図２中（ｂ）及び（ｃ）は、図２中（ａ）に示す台座１０を一点鎖線の位置で切断した断面図を示している。図２中（ｂ）及び（ｃ）に示すように、台座１０は、断面がＨ字構造になっており、台座１０の平板の両面に凹部１２及び凹部１４が形成されている。すなわち、台座１０は、その平板の上面から突出した側壁１１に囲まれた凹部１２と共に、その平板の下面から突出した側壁１１に囲まれた凹部１４を有している。台座１０の上面から突出した側壁１１と下面から突出した側壁１１とは連続して形成されていてもよいし、それぞれ独立して形成されていてもよい。また、台座１０の平板と側壁１１とは、それぞれ独立して成型してから連結してもよいが、一体成型されていることが好ましい。
【００１７】
台座１０の平板に側壁１１に囲まれた凹部１２及び凹部１４が形成されていることによって、側壁１１を有さない単純な板状体と比較して、曲げモーメントやせん断力が向上するので、ネジレや折れのような変形を防ぐことができる。その結果、台座１０の強度を確保することができる。また、台座１０は、軽くて嵩張らないため、組立てが容易であるので、輸送費の節減や搬入組立時の時間と労力軽減（短時間納品）を実現することができる。すなわち、ソファ１００は、台座１０の平板に側壁１１に囲まれた凹部１２及び凹部１４が形成されていることによって、軽くて嵩張らず、組立て容易でありながら、強度が確保された台座を有する組立式ソファを実現することができる。
【００１８】
凹部１２を有していることによって、座部マット２０の突出する部分であるサブマット２２を凹部１２に収容するのみで、座部マット２０を固定し位置ズレするのを防ぐことができる。そのため、ソファ１００の組立が容易である。また、凹部１２を有していることによって、後述する位置調整バー８０を凹部１２に収容するのみで、座部マット２０の奥行き方向の位置をユーザの好みに合わせて容易に変更することができる。
また、凹部１２の深さ分だけ、すなわちサブマット２２の厚みの分だけ座部マット２０を厚くすることができるので、座り心地を向上させることができる。
【００１９】
凹部１４を有していることによって、台座１０の強度を向上させることができる。また、凹部１４の底面、すなわち台座１０の下面は、複数の凹凸を有する波状構造になっていてもよい。これにより、台座１０の上側の平面が凹凸形状により支持され、下方向に撓むことを抑制することができ、さらに台座１０の平板の変形をより抑制することが可能である。その結果、台座１０の強度をさらに向上させることができる。さらに、凹部１４には、圧縮した座部マット２０又は背当てクッション５０を収容することができ、これによりコンパクトに梱包でき輸送コストを低減することができる。台座１０は、ソファ１００の使用時にはカバーで覆われるが、座部マット２０又は背当てクッション５０を収容できるように、凹部１４側のカバーは開閉できるようになっていてもよい。
【００２０】
台座１０は、スチールのような金属製であってもよいが、樹脂、ガラス繊維、セルロース等により形成されてもよい。また、図２中（ｂ）に示すように、台座１０は、中空構造体であればより軽量化され、搬送及び組立が容易である。台座１０は樹脂中空体であってもよく、樹脂中空体は、例えば、ブロー成形により形成することができる。ブロー成形した樹脂中空体の台座１０は、木材を加工した台座よりも製造が容易である。
【００２１】
台座１０の側壁１１には、複数の台座１０間、並びに、台座１０とアームレスト３０及び背当て部４０とを連結するための連結部１３が設けられている。側壁１１には、連結部１３として、ソファ１００を組み立てた際に横側となる部分に設けられた連結部１３ａと、ソファ１００を組み立てた際に背側になる部分に設けられた連結部１３ｂとが設けられている。
【００２２】
連結部１３ａは、台座１０にアームレスト３０を連結するため及び複数の台座１０間を連結するために用いられる。すなわち、連結部１３ａは、アームレスト３０を連結するためのものと台座１０間を連結するためのものとの兼用である。連結部１３ｂは、台座１０に背当て部４０を連結するために用いられる。連結部１３の形状は、他の部材と連結するための連結部材を取り付け可能なものであればよく、例えば連結部材をネジ止めするための穴が形成されていてもよい。また、連結部１３ａと連結部１３ｂとは同一の形状であってもよい。なお、台座１０は、凹部１２側の側壁１１だけでなく、凹部１４側の側壁１１にも連結部材を取り付けるための穴や、脚７０を取り付けるための穴が形成されている。台座１０に他の部材を連結するための連結部材の詳細については後述する。
【００２３】
座部マット２０の詳細について、図３を参照して説明する。図３中（ａ）は、座部マット２０の斜視図であり、図３中（ｂ）は、座部マット２０の側面図である。図３中（ａ）及び（ｂ）に示すように、座部マット２０は、メインマット２１からサブマット２２が突出するように形成され、凸部であるサブマット２２が、台座１０の凹部１２に収容されるようになっている。
【００２４】
座部マット２０は、メインマット２１とサブマット２２とが一体に形成されたクッション材により構成されていてもよいし、メインマット２１とサブマット２２とがそれぞれ分離したクッション材であり、後述するカバー２３に収容することで１つの座部マット２０を構成するようになっていてもよい。座部マット２０として使用されるクッション材は特に限定されないが、モールドウレタンを例示することができる。
【００２５】
メインマット２１は、ソファ１００を組み立てた際に、背当て部４０側になる端部からこれに対向する側になる端部に向かって厚くなるように盛り上がった形状である。サブマット２２は、台座１０の凹部１２に収容される形状であるが、位置調整バー８０によりサブマット２２の凹部１２内での位置を調整可能なように、少なくとも位置調整バー８０の大きさ分だけ凹部１２よりも小さいことが好ましい。
【００２６】
メインマット２１とサブマット２２とは、硬さの異なるクッション材により構成されていてもよい。例えば、座部マット２０の位置ズレを防ぐためのサブマット２２は、より堅いクッション材であり、ユーザが着座する部分となるメインマット２１は、より柔らかいクッション材とする。クッション材としてモールドウレタンを用いる場合には、高密度のモールドウレタンをサブマット２２として用い、低密度のモールドウレタンをメインマット２１として用いる。さらに、座部マット２０は、メインマット２１の座面となる側にチップウレタンを有していてもよい。また、クッション材としてポケットコイルを用いてもよく、例えば、メインマット２１としてモールドウレタンを用い、サブマット２２としてポケットコイルを用いてもよい。サブマット２２としてポケットコイルを用いた場合、凹部１２がポケットコイルの収容部となる。このように、硬さの異なる複数のクッション材により座部マット２０を構成することで、座り心地に優れたソファを提供することができる。
【００２７】
位置調整バー８０による座部マット２０の位置の調整について図４を参照して説明する。図４中（ａ）は、凹部１２を露出させたソファ１００を示す斜視図であり、図４中（ｂ）及び（ｃ）は、位置調整バー８０の使用状態を示す側面図である。ソファの奥行きは、男性の平均体型に合わせた場合には、平均体型の女性が座った際に足が浮いてしまったり、背当てクッションにより十分に支持されなかったりする問題がある。また、ソファの奥行きを女性の平均体型に合わせた場合には、平均体型の男性が座った際に足がソファから出過ぎてしまう場合がある。このように、ユーザの体型により座り心地のよい奥行きが異なる。このような問題を解決するために、ソファ１００は、位置調整バー８０によりソファの奥行きを調整できるようになっている。
【００２８】
位置調整バー８０は、図４中（ａ）に示すように、凹部１２の背当て部４０に沿う方向に延伸したブロック状体である。図４中（ｂ）に示すように、位置調整バー８０を凹部１２の最も後側、すなわち背当て部４０側に設けると、位置調整バー８０の幅分だけサブマット２２が凹部１２の背当て部４０から離れた側に移動する。これにより、メインマット２１が位置調整バー８０の幅分だけ多く台座１０の外側に突き出るようになる。一方、図４中（ｃ）に示すように、位置調整バー８０を凹部１２の最も前側、すなわち背当て部４０から離れた側に設けると、位置調整バー８０の幅分だけサブマット２２が凹部１２の背当て部４０側に移動する。これにより、メインマット２１が位置調整バー８０の幅分だけ背当て部４０側に下がり、台座１０から突き出る部分が少なくなる。このように、位置調整バー８０を設けるのみで座部マット２０の位置を調整し、ソファの座面の奥行きを調整することができるので、ユーザの座り心地を容易に向上させることができる。
【００２９】
位置調整バー８０は、メインマット２１の下側に位置し、ユーザの座り心地に影響を与えるため、クッション材で形成されていることが好ましい。位置調整バー８０は座部マット２０と同一のクッション材で形成されていてもよく、例えば、モールドウレタンであってもよいし、また、硬質発泡体であってもよい。
【００３０】
座部マット２０のカバー２３について、図５を参照して説明する。図５中（ａ）は、座部マット２０のカバー２３の一部を開いた状態を示す側面図であり、図５中（ｂ）は、座部マット２０のカバー２３をより大きく開いた状態を示す斜視図である。カバー２３は、メインマット２１及びサブマット２２の２つのクッション材を１つのカバーに収容するものであり、これにより座部マット２０を一体とする。カバー２３は、メインマット２１を収容する収容部２３ａと、サブマット２２を収容する収容部２３ｂとを有している。そして、収容部２３ａと収容部２３ｂとは、隔離部２４により隔てられている。サブマット２２はメインマット２１から突出するようにカバー２３に収容される。
【００３１】
カバー２３は線ファスナーにより開閉可能になっており、メインマット２１の外周に沿って設けられた線ファスナーを開くことによって、収容部２３ａ内にメインマット２１を収容できるようになっている。そして、図５中（ｂ）に示すように、カバー２３のメインマット２１の外周に沿って設けられた線ファスナーを開くと、隔離部２４を介して、収容部２３ｂが形成されている。隔離部２４の中央近傍に設けられた線ファスナーを開くことにより、収容部２３ｂ内にサブマット２２を収容できるようになっている。
【００３２】
このように、カバー２３は、メインマット２１及びサブマット２２をそれぞれ隔離して収容可能な二重構造になっている。そして、カバー２３のそれぞれの収容スペースにメインマット２１とサブマット２２とを収容することで、一体となった座部マット２０が形成されるようになっている。これにより、メインマット２１とサブマット２２との間の位置ズレを防ぎ、メインマット２１からサブマット２２が突出した形状を維持できる。
【００３３】
台座１０に他の部材を連結するため及び複数の台座１０間を連結するための連結部材について、図６を参照して説明する。図６中（ａ）は、連結部材を例示する斜視図であり、図６中（ｂ）及び（ｃ）は、連結部材による連結状態を説明する斜視図である。図６中（ａ）〜（ｃ）に示すように、ソファ１００は、連結部材９１〜９３の３種類の連結部材により組み立てることができる。
【００３４】
連結部材９１は、図６中（ｂ）及び（ｃ）に示すように、台座１０にアームレスト３０又は背当て部４０を連結するものである。連結部材９１は、アームレスト３０又は背当て部４０に当接する第１当接部９１ａと、台座１０の側壁１１の内側の面に当接する第２当接部９１ｂと、第１当接部９１ａと第２当接部９１ｂとを階段状に接続する接続部９１ｃとを有している。
【００３５】
台座１０にアームレスト３０又は背当て部４０を連結する場合、まず、第１当接部９１ａをアームレスト３０又は背当て部４０に当接させて、例えばネジ止めすることにより連結部材９１をアームレスト３０又は背当て部４０に取り付ける。そして、第２当接部９１ｂを台座１０の側壁１１の内側の面に当接させ、接続部９１ｃを側壁１１の上面に当接させる。連結部材９１は、第１当接部９１ａと第２当接部９１ｂとが接続部９１ｃにより階段状に接続されているので、連結部材９１を側壁１１に引っ掛けることができる。
【００３６】
連結部材９１を側壁１１に引っ掛けることで、連結部材９１の位置決めが容易であり、また、ユーザが手で支持しなくてもアームレスト３０又は背当て部４０を落下し難くすることができ、台座１０に仮止めすることができる。そして、アームレスト３０又は背当て部４０が台座１０に仮止めされた状態で、第２当接部９１ｂ又は接続部９１ｃを台座１０に例えばネジ止めすることで、アームレスト３０又は背当て部４０を台座１０に連結することができる。このように、台座１０が側壁１１を有することにより、アームレスト３０又は背当て部４０を容易に連結することができると共に、これらの連結を支持して連結強度が向上する。
【００３７】
連結部材９２は、複数の台座１０を連結して使用する場合に、台座１０間を連結するために使用されるものである。連結部材９２は、図６中（ｃ）に示すように、２つの台座１０の間の下面を連結する。連結部材９２は、脚７０を例えばネジ止めして取り付けるための穴が形成されていてもよい。
【００３８】
連結部材９３は、台座１０とアームレスト３０又は背当て部４０との連結、並びに、複数の台座１０間の連結を補強するために使用されるものである。連結部材９３は、図６中（ｂ）に示すように、２つの台座１０の間の上面を連結することによって、連結部材９２による台座１０間の下面の連結を補強する。また、連結部材９３は、図６中（ｃ）に示すように、台座１０とアームレスト３０又は背当て部４０とを連結する部分の下面を連結することによって、連結部材９１による台座１０とアームレスト３０又は背当て部４０との上面の連結を補強する。
【００３９】
上述したように、ソファ１００は、ソファ１００を構成する部材を連結して組み立てて使用するものであり、連結する部材の組み合わせをユーザが自由に選択できるようになっている。したがって、台座１０に座部マット２０を載置して脚７０を取り付けるのみで、いわゆるオットマンとして使用してもよい。また、台座１０を連結する数も制限がないため、台座１０を２つ連結して２シートのソファにしてもよいし、台座１０を３つ連結して３シートのソファにしてもよいし、台座１０を４以上連結してもよい。さらに、アームレスト３０の連結の有無、背当て部４０の連結の有無、ヘッドレスト６０の連結の有無も選択可能である。また、アームレスト３０等の各部材のデザインや、脚７０の高さも種々選択可能である。
【００４０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４１】
１０  台座、１１  側壁、１２  凹部、１４  凹部、２０  座部マット、２１  メインマット、２２  サブマット（凸部）、２３  カバー、２４  隔離部、３０  アームレスト（肘当て部）、４０  背当て部、８０  位置調整バー（位置調整部材）、９１  連結部材、９１ａ  第１当接部、９１ｂ  第２当接部、９１ｃ  接続部
【図１】
2020044107.tif 000003
【図２】
2020044107.tif 000004
【図３】
2020044107.tif 000005
【図４】
2020044107.tif 000006
【図５】
2020044107.tif 000007
【図６】
2020044107.tif 000008